(57)【要約】      （修正有）【課題】義足の使用者が主体となり、変化した体等と義足ソケットの不一致を解消し、義足による歩行を容易にし、それに基づいて義肢装具士等が義足ソケットの補正、修理等をすることにより、その時間、回数、費用の削減を計る為の、体の変化に対応する基本義足装着、修理補助具を提供する。【解決手段】抗菌ポリエステル塩化ビニール１００％で、厚さ０．１０ｍｍ、０．１５ｍｍ、０．２０ｍｍ、０．３０ｍｍ、０．５０ｍｍ、１．００ｍｍの６種類が１セットで、円形の体の変化に対応する基本義足装着、修理補助具から、使用する義足ソケットの底面サイズに合せて作製し、その中から、又は、その組合せをし、適宜、切り線（Ｃ、Ｃ１）を入れ、襞をつくり、又、その一部を切除等をして、義足ソケットの底面に用いて、体等に義足ソケットをフィットさせる。【選択図】図１
0003148705.tif 000002
【実用新案登録請求の範囲】
【請求項１】
義足の使用者が、体の変化等による、義足ソケットの不一致に対応し、義足ソケットを修理する為の、体の変化に対応する義足装着、修理補助具を作製する為の基本義足装着、修理補助具であり、抗菌ポリエステル塩化ビニール１００％で、厚さ、０．１０ｍｍ、０．１５ｍｍ、０．２０ｍｍ、０．３０ｍｍ、０．５０ｍｍ、１．００ｍｍの６種類を１セットとした、体の変化に対応する半径６ｃｍの円形の基本義足装着、修理補助具。
【請求項２】
請求項１に記載する体の変化に対応する基本義足装着、修理補助具は、図形のシールが付着又は印刷されており、使用する義足ソケットの底面サイズに合せ、底面(Ｈ)に用いるのを特徴とする、体の変化に対応する基本義足装着、修理補助具。
【請求項３】
請求項１記載の体の変化に対応する基本義足装着、修理補助具は、請求項２記載の使用する義足ソケットの底面(Ｈ)に用いる際に、セットの中から、又は組合せをして、適宜、切り線(Ｃ、Ｃ１)を入れ、ひだ、を作り、又その一部を切除等して、体等に義足ソケットをフィットさせることを特徴とする、体の変化に対応する基本義足装着、修理補助具。
【考案の詳細な説明】
【技術分野】
【０００１】
本考案は、義足使用者が主体となり、体の変化に対応する義足装着、修理補助具を作製し、義足ソケットの底面(Ｈ)に用いて義足ソケットをフィットさせて、義足による歩行を容易にし、併せて義肢装具士等の義足ソケットの補正、修理等の時間、回数、費用の削減を計る、体の変化に対応する基本義足装着、修理補助具。
【背景技術】
【０００２】
一旦、義足ソケットが作製され、体に装着するにあたり、又は後に義足ソケットが不一致となった場合、その保正、修理等に時間と回数と費用が嵩んでいる。
【０００３】
上記に対応するものとして、布製のソフトインサート・カバー、シリコンライナー、その他アタッチメントがあるが、いずれも、ほぼ大腿全体を被うものであり、義足ソケットの不一致の補正、修理には、微妙で、ミリ単位の補正、修理を必要とし、対応するには不十分である。
【０００４】
交通事故、病気等、足の一部の切断の原因により、体の変化に違いがあるが、更に加齢等により体が変化して義足ソケットが合わなくなるが、不一致の度合いは、個人毎に違い、複雑、微妙で、本人以外は計り知ることが困難である。
【考案の開示】
【考案が解決しようとする課題】
【０００５】
以上述べたように、体等と義足ソケットの不一致は、個人毎に違い、複雑、微妙で、義肢装具士等は計り知れなく、又、ミリ単位の補正、修理を簡単に対応できるものが現在なく、補正、修理等に時間と回数と費用が嵩んでいる。
【０００６】
本考案は、このような問題を解決しようとするものであり、義足の使用者が主体となり、変化した体等に義足ソケットをフィットさせて、義足による歩行を容易にし、それに基づいて、義肢装具士等による、義足ソケットの保正、修理等を実施し、時間と回数と費用の削減を計る。
【課題を解決するための手段】
【０００７】
図面、図１のような、使用する義足ソケットに合せた、体の変化に対応する義足装着、修理補助具が作製できる図形のシールを付着、又は印刷した、体の変化に対応する基本義足装着、修理補助具。
【０００８】
上記の体の変化に対応する基本義足装着、修理補助具の材質は、衛生面、柔軟性、吸着性の面から抗菌ポリエステル塩化ビニール１００％で、厚さ、０．１０ｍｍ、０．１５ｍｍ、０．２０ｍｍ、０．３０ｍｍ、０．５０ｍｍ、１．００ｍｍの６種類が１セット。
【０００９】
また、第３の課題解決手段は、上記の６種類の基本義足装着、修理補助具から使用する義足ソケットのサイズ(Ｇ、Ｈ、Ｉ)の体の変化に対応する義足装着、修理補助具を作製し、適宜、図面、図１のＣ、Ｃ１の線のように切り、ひだ、をつくり、ひだ、の一部を切除する等して、義足ソケットの底面(Ｈ)に用いて、義足ソケットを体等にフィットさせる。
【００１０】
上記１の課題解決手段による作用は次の通りである。使用する義足ソケットに合せたサイズの体の変化に対応する義足装着、修理補助具が安価で簡単に、義足の使用者が作成できる。
【００１１】
また、第２の課題解決手段による作用は、６種類の体の変化に対応する義足装着、修理補助具を作製し、義足ソケットの不一致の度合いにより、６種類の中から、又は、その組合せにより十分に対応することができ、更に材質は、衛生、加重に対する緩衝、体等と義足ソケットの密着、運動に対する柔軟性に最適。
【００１２】
更に第３の課題解決手段による作用は、不一致は、微妙で、ミリ単位であり、又、多くは断端下部にあり、義足ソケットの底面に用いることにより体等に微少な変化を与え、更に、ひだ、の活用により、フィットの完成度の向上を計る。
【考案の効果】
【００１３】
上述したように、義足使用者が主体となり、本考案の体の変化に対応する基本義足装着、修理補助具により、不一致となった義足ソケットのフィット状態を見出すことができる。
【００１４】
また、フィットした状態を義肢装具士等に提示し、義肢装具士等は、その提示に基づいて保正、修理等をすることにより、より早く、正確に保正、修理することができ、時間と回数と費用の削減が計れる。
【考案を実施するための最良の形態】
【００１５】
以下本考案の実施の形態を図１〜図４に基づいて説明する。
【００１６】
図１は、半径６ｃｍまでの体の変化に対応する義足装着、修理補助具が作製できる、円形の基本義足装着、修理補助具であり、材質は、抗菌ポリエステル塩化ビニール１００％で、厚さは、０．１０ｍｍ、０．１５ｍｍ、０．２０ｍｍ、０．３０ｍｍ、０．５０ｍｍ、１．００ｍｍの６種類が１セット。
【００１７】
上記の体の変化に対応する基本義足装着、修理補助具から、使用する義足ソケットの底面サイズ(Ｇ、Ｈ、Ｉ)を計り、底面(Ｈ)に用いる体の変化に対応する義足装着、修理補助具６個を作製する。
【００１８】
上記、体の変化に対応する義足装着、修理補助具６個の中から、又は不一致の度合により、それらの組合せをし、適宜、切り線(Ｃ、Ｃ１)を入れ、ひだ、を作り、又その一部を切除等して、義足ソケットの底面(Ｈ)に用いて、義足ソケットをフィットさせる。
【実施例】
【００１９】
以下、ライナー式大腿義足の体の変化に対応する義足装着、修理補助具について、実施例を説明する、体の変化に対応する基本義足装着、修理補助具から、使用する義足ソケットのサイズ(Ｇ、Ｈ、Ｉ)を計り、底穴(Ｉ)を開けて、底面(Ｈ)に収る、円形の体の変化に対応する義足装着、修理補助具６個を作製する。
【００２０】
上記、６個の中から、又は、その組合せにより、適宜、図１のＣ、Ｃ１の線のような、切り線を入れ、ひだ、をつくり、又その、ひだ、の一部を切除等して、図２のような、体の変化に対応する義足装着、修理補助具を作製し、義足ソケットの底面(Ｈ)に用い、義足を装着し歩行によりフィットを確認する。
【００２１】
上述のことは、義肢装具士等の指導のもと実施し、フィットした状態を提示、報告して、義足ソケットの補正、修理等を完成させる。
【００２２】
また、上述したことは、吸着式大腿義足、下腿義足等に応用は可能であることは言うまでもありません。
【図面の簡単な説明】
【００２３】
【図１】半径６ｃｍまでの体の変化に対応する義足装着、修理補助具が作製できる図形のシールを付着、又は印刷した円形の体の変化に対応する基本義足装着、修理補助具
【図２】ライナー式大腿義足の体の変化に対応する義足装着、修理補助具の作製例
【図３】左大腿義足を装着した姿の略図
【図４】大腿義足ソケットの略図
【符号の説明】
【００２４】
Ｐ    円形の体の変化に対応する基本義足装着、修理補助具の中心点
Ａ    ライナー式義足ソケットの底穴開け用の目安の円
Ｂ    吸着式義足ソケットの底穴開け用の目安の円
Ｃ    内襞を作る目安の線
Ｃ１  外襞を作る目安の線
Ｄ    大腿の断端部
Ｅ    義足ソケット部分の略図
Ｆ    義足の足・膝下部
Ｇ    義足ソケットの底面の径
Ｈ    義足ソケットの底面
Ｉ    吸着式、ライナー式大腿義足ソケットの底面の穴の部分
【図１】
0003148705.tif 000003
【図２】
0003148705.tif 000004
【図３】
0003148705.tif 000005
【図４】
0003148705.tif 000006